【手続補正書】
【提出日】平成20年9月24日(2008.9.24)
【手続補正１】
【補正対象書類名】特許請求の範囲
【補正対象項目名】全文
【補正方法】変更
【補正の内容】
【特許請求の範囲】
【請求項１】
脊椎安定化装置における使用のための連結ユニットであって、該連結ユニットは、中空の内腔および長手軸方向軸を有する長手軸方向部材を備え、該長手軸方向部材は、患者の脊椎に固定されるように構成されており、該長手軸方向部材は、
第一固定部材に連結されるように構成された第一溝なし部分；
第二固定部材に連結されるように構成された第二溝なし部分；
該第一部分に連結され、該第二部分に連結され、その間に形成された少なくとも１つの溝を有する溝のある部分を含む中間部分であって、該溝のある部分は、第一の端部および第二の端部を有し、該第一の端部は、第一溝なし部分に連結されており、該第二の端部は該第二溝なし部分に連結されており、該溝のある部分は、該第一の端部と該第二の端部との間で可変可撓性を有する、中間部分；ならびに
該溝のある部分を覆い、該少なくとも１つの溝に貫通し、かつ該中空内腔を少なくとも満たす、エラストマークラッディング
を備える、連結ユニット。
【請求項２】
前記溝のある部分における前記少なくとも１つの溝の溝の深さ、溝の幅および溝から溝のスペースのうちの少なくとも１つは、該溝のある部分の長手軸方向軸の少なくとも一部分に沿って変化する、請求項１に記載の連結ユニット。
【請求項３】
前記溝のある部分は、第三の固定部材に連結するように構成された溝なし部分によって隔てられた第一の溝のある部分および第二の溝のある部分を有し、該第一の溝のある部分は、少なくとも１つの第一の溝パラメーターを有し、該第二の溝部分は、少なくとも１つの第二の溝パラメーターを有し、該第一の溝パラメーターは、該第二の溝パラメーターとは異なる、請求項１に記載の連結ユニット。
【請求項４】
前記第二の溝パラメーターは、前記第二の溝のある部分の長手軸方向軸の少なくとも一部分に沿って変化する、請求項３に記載の連結ユニット。
【請求項５】
前記第二の溝のある部分の溝の深さ、溝の幅および溝から溝のスペースのうちの少なくとも１つは、前記長手軸方向軸の少なくとも一部分に沿って変化する、請求項４に記載の連結ユニット。
【請求項６】
前記長手軸方向部材は、金属、金属合金、有機ポリマー、天然に存在する樹脂、熱可塑性物質、エラストマー、および複合材料からなる生物適合性材料群から選択される材料を含む、請求項１に記載の連結ユニット。
【請求項７】
脊椎安定化装置における使用のための連結ユニットであって、該連結ユニットは、長手軸方向軸および中空の内腔を有する長手軸方向部材を備え、該長手軸方向部材は、少なくとも３つの固定部材を用いて患者の脊椎に固定されるように構成されており、該長手軸方向部材は、
該第一部分の長手軸方向軸の少なくとも一部分に沿って変化する少なくとも１つの溝パラメーターを有しかつ第一固定部材に連結されるように構成された第一の溝のある部分を含む第一部分；
第二の溝のある部分を含む第二部分であって、第二固定部材に連結されるように構成された、第二部分；ならびに
該第一部分に連結され、該第二部分に連結され、溝なし部分を含む中間部分であって、該溝なし部分は、第三固定部材に連結されるように構成されており、該第一部分の該第一の溝のある部分は、該長手軸方向部材の該第二部分の該第二の溝のある部分よりも大きな可撓性を示す、中間部分；ならびに
該第一の溝のある部分および該第二の溝のある部分の周りのエラストマークラッディングであって、該エラストマークラッディングは、該第一の溝のある部分および該第二の溝のある部分を取り囲み、該第一の溝のある部分および該第二の溝のある部分に貫通し、そして該長手軸方向部材の該内腔を少なくとも満たす、エラストマークラッディング
を備える、連結ユニット。
【請求項８】
前記第一部分は溝なしの部分を含み、該溝なしの部分は、前記第一固定部材に連結されるように構成される、請求項７に記載の連結ユニット。
【請求項９】
前記第一部分は溝なしの部分を含み、該溝なしの部分は、前記第一固定部材に連結されるように構成されており、前記第二部分は、溝なしの部分を含み、該溝なしの部分は、前記第二固定部材に連結されるように構成されている、請求項７に記載の連結ユニット。
【請求項１０】
脊椎安定化装置における使用のための連結ユニットであって、該連結ユニットは、
第一の椎に固定されるように適合された第一骨連結アセンブリ；
第二の椎に固定されるように適合された第二骨連結アセンブリ；
第三の椎に固定されるように適合された第三骨連結アセンブリ；ならびに
長手軸方向軸および中空の内腔を有する長手軸方向部材を備え、該長手軸方向部材は、
該第一骨連結アセンブリに連結されるように構成された溝なし部分および第一部分の長手軸方向軸の少なくとも一部分に沿って変化する少なくとも１つの溝パラメーターを有する溝のある部分を含む第一部分;
該第三骨連結アセンブリに連結されるように構成された溝なし部分を含む第二部分；ならびに
該第一部分に連結され、該第二部分に連結され、溝なし部分を含む中間部分であって、該溝なし部分は、該第二骨連結アセンブリに連結されるように構成されており、該第一部分は、該長手軸方向部材の該第二部分よりも大きな可撓性を示す、中間部分；ならびに
該溝のある部分の周りのエラストマークラッディングであって、該エラストマークラッディングは、該溝のある部分を取り囲み、該溝のある部分に貫通し、そして該長手軸方向部材の該内腔を少なくとも満たす、エラストマークラッディング
を備える、連結ユニット。
【請求項１１】
前記第二部分は、そこに形成された少なくとも１つの溝を有する溝のある部分を含む、請求項１０に記載の連結ユニット。
【請求項１２】
脊椎安定化装置における使用のための連結ユニットであって、該連結ユニットは、
第一の椎に固定されるように適合された第一骨連結アセンブリ；
第二の椎に固定されるように適合された第二骨連結アセンブリ；
第三の椎に固定されるように適合された第三骨連結アセンブリ；ならびに
長手軸方向軸および中空の内腔を有する長手軸方向部材を備え、該長手軸方向部材は、
そこに形成され、該第一骨連結アセンブリに連結されるように構成された少なくとも１つの溝を含む第一部分;
そこに形成され、該第二骨連結アセンブリに連結されるように構成された少なくとも１つの溝を含む第二部分;ならびに
該第一部分に連結され、該第二部分に連結され、溝なし部分を含む中間部分であって、該溝なし部分は、該第三骨連結アセンブリに連結されるように構成されており、該第一部分は、該第二部分よりも大きな可撓性を示す、中間部分；ならびに
該第一部分および該第二部分の該溝のある部分の周りのエラストマークラッディングであって、該エラストマークラッディングは、該溝のある部分を取り囲み、該溝のある部分に貫通し、そして該長手軸方向部材の該内腔を少なくとも満たす、エラストマークラッディング
を備える、連結ユニット。
【請求項１３】
溝の深さ、溝の幅および溝から溝のスペースのうちの少なくとも１つは、該第一部分の長手軸方向軸の少なくとも一部分に沿って変化する、請求項１２に記載の連結ユニット。
【請求項１４】
前記第一部分は、少なくとも１つの第一の溝パラメーターを有し、前記第二部分は、少なくとも１つの第二の溝パラメーターを有し、該第一の溝パラメーターは、該第二の溝パラメーターとは異なる、請求項１２に記載の連結ユニット。
【請求項１５】
前記第一部分は、少なくとも１つの第一の溝パラメーターを有し、該少なくとも１つの第一の溝パラメーターは、前記第一部分の長手軸方向軸の少なくとも一部分に沿って変化する、請求項１２に記載の連結ユニット。
【請求項１６】
前記第二部分は、少なくとも１つの第二の溝パラメーターを有し、該少なくとも１つの第二の溝パラメーターは、前記第二部分の長手軸方向軸の少なくとも一部分に沿って変化する、請求項１５に記載の連結ユニット。
【請求項１７】
前記第一の溝パラメーターは、前記第二の溝パラメーターとは異なる、請求項１６に記載の連結ユニット。
【請求項１８】
溝の深さ、溝の幅および溝から溝のスペースのうちの少なくとも１つは、前記第二部分の長手軸方向軸の少なくとも一部分に沿って変化する、請求項１６に記載の連結ユニット。
【請求項１９】
前記第一部分は溝なしの部分を含み、該溝なしの部分は、前記第一骨連結アセンブリに連結されるように構成される、請求項１２に記載の連結ユニット。
【請求項２０】
前記第一部分は溝なしの部分を含み、該溝なしの部分は、前記第一骨連結アセンブリに連結されるように構成されており、前記第二部分は、溝なしの部分を含み、該溝なしの部分は、前記第二骨連結アセンブリに連結されるように構成されている、請求項１９に記載の連結ユニット。